(57)【要約】【課題】ハウジング内空間の確実な拡大により、ヘッドホンやイヤーマフにおける受動的な遮音特性の向上を図る。【解決手段】ユーザーの耳Ａに対応する側の端部が開放したハウジング１と、このハウジング１の開放端部の全周に渡って固定されたリング状の補強部材６と、この補強部材６の外端面に固着された表面部材７とを有している。補強部材６は、外周側よりも内周側がハウジング１から遠ざかるように成形されていて、ハウジング１の内部空間Ｘに続き、補強部材６の背面側に、新たな空間Ｙが形成される。補強部材６の背面側に形成された新たな空間Ｙは、たとえユーザーがヘッドホンを頭部に装着して表面部材７が押し潰されたとしても、確実に確保され、ハウジング１による空間Ｘに加算されるので、受動的な遮音特性の向上が図れる。イヤーマフにおいても同様である。【選択図】図２
0003147408.tif 000002
【実用新案登録請求の範囲】
【請求項１】
ユーザーの耳に対応する側の端部が開放したハウジングと、このハウジングの開放端部の全周に渡って固定されたリング状の補強部材と、この補強部材の外側面に固着された表面部材と、上記ハウジング内に取付けられたドライバユニットを備え、
上記補強部材は、外周側よりも内周側がハウジングから遠ざかるように成形されることにより、ハウジングの内部空間に続く補強部材の背面側の空間が形成され、
上記表面部材は、上記補強部材の外側面の外周側と内周側にまたがって固着され、上記補強部材との間に空間が形成されていることを特徴とするヘッドホン。
【請求項２】
上記表面部材と上記補強部材との間に形成されている空間にはクッション材が充填されていることを特徴とする請求項１に記載のヘッドホン。
【請求項３】
ユーザーの耳に対応する側の端部が開放したハウジングと、このハウジングの開放端部の全周に渡って固定されたリング状の補強部材と、この補強部材の外側面に固着された表面部材と、を備え、
上記補強部材は、外周側よりも内周側がハウジングから遠ざかるように成形されることにより、ハウジングの内部空間に続く補強部材の背面側の空間が形成され、
上記表面部材は、上記補強部材の外側面の外周側と内周側にまたがって固着され、上記補強部材との間に空間が形成されていることを特徴とするイヤーマフ。
【請求項４】
上記表面部材と上記補強部材との間に形成されている空間にはクッション材が充填されていることを特徴とする請求項３に記載のイヤーマフ。
【考案の詳細な説明】
【技術分野】
【０００１】
本考案は、ヘッドホンまたはイヤーマフの改良に関する。
【背景技術】
【０００２】
一般に、ヘッドホンやイヤーマフ（ｅａｒｍｕｆｆ）は、ユーザー（使用者）の耳に対応する側の端部が開放したドーム（ｄｏｍｅ）状のハウジングと、そのハウジングの開口の周囲端面に設けられて、耳当てとなるドーナツ状のパッド（イヤーパッド）とから構成される。
ヘッドホンの場合は、単に受動的な遮音のみを目的としたイヤーマフとは異なるから、ハウジングは内側にバッフル（ｂａｆｆｌｅ）板を備えて、そのバッフル板には、開口方向に向けて電気音響変換用のドライバユニットやプロテクタ（保護板）が搭載される。プロテクタはバッフル板と一体成型されているものもある。
【０００３】
ところで、ヘッドホンやイヤーマフでは、ユーザーに対し、受動的な騒音、すなわちパッシブで不要な外部からの音を効果的に遮断することが要求される。
その受動的で不要な外部からの音を効果的に遮断するためには、ユーザーがヘッドホンやイヤーマフを装着することによって形成されるハウジング内の空間容積、すなわちキャビティの内容積をできるだけ大きくするのが望ましいとされている。（例えば、特許文献１参照）。
【０００４】
図３は従来のヘッドホンの例を示した断面図である。ヘッドホンはヘッドバンドに繋がれた２個を一対とし、左右のヘッドホンがユーザーの左右の各耳を覆うようにして使用されるものであるから、左右のヘッドホンは同型に構成されるものである。図３は、左右一対のうちの一方のみを示している。
図３に示したように、従来のヘッドホンは、ユーザーの耳に対応する側の端部が開放したドーム状のハウジング１と、このハウジング１の開口の周囲端面に設けられ、内部にクッション材を収納したドーナツ状のパッド２と、電気音響変換用のドライバユニット３とバッフル板５を有してなる。ドライバユニット３はバッフル板５に嵌め込まれてハウジング１内に取り付けられている。ドライバユニット３の前方直近にはパンチングメタルなどからなる網状のプロテクタ４が嵌め込まれている。
【０００５】
ドライバユニット３は、外周面がバッフル板５の内周面に連結固定されたドーナツ状のフレーム３１と、フレーム３１の内周面に連結固定され、永久磁石３２および磁極板３３を収納した有底円筒状のヨーク３４と、ヨーク３４と磁極板３３との間の磁気ギャップ内に介挿配置された環状のボイスコイル３５と、このボイスコイル３５の一端が結合され、外側周縁がフレーム３１の外側縁部に接続されたドーム状の振動板３６とを有してなる。
振動板３６は、中央部のメインドームとそれを取り囲む領域部分に対応するサブドームとから構成されていて、プロテクタ４も、振動板３６の形状に対応するように、中央部のメインドームとその周囲のサブドームで構成されている。
【０００６】
上記構成の従来のヘッドホンにおいて、パッド２には、背面側すなわちハウジング１側に開口部２ｂが設けられていて、クッション材が収納された内部空間２ａと、バッフル板５で区切られたハウジング１の前部キャビティＸとが連通するように構成されている。ハウジング１の前面側のキャビティＸが、パッド２の開口部２ｂを介して、パッド２の内部空間２ａと連通することにより、ユーザーがヘッドホンを装着したとき、キャビティＸの容積が実質上増大することから、受動的な遮音特性が良好に得られるように工夫されている。
【０００７】
図３では、ハウジング１内にバッフル板５を取り付けたヘッドホンを示したが、バッフル板５を設けないイヤーマフの場合も同様で、キャビティＸはハウジング１の全容積となる。イヤーマフの場合も、ハウジング１内部のキャビティＸが、パッド２の開口部２ｂを通じてパッド２の内部空間に連通し、キャビティＸが実質上拡大されることにより、前記ヘッドホンの場合と同様に受動的な遮音特性の向上が図られることが期待されている。
【０００８】
【特許文献１】特開平３―１６５６９４号公報
【考案の開示】
【考案が解決しようとする課題】
【０００９】
上記のように、従来のヘッドホンおよびイヤーマフでは、パッド２に、ハウジング１のキャビティＸに連なる開口部２ｂを設け、キャビティＸの実質上の容積拡大を図り、受動的な遮音特性の向上を図っている。
しかしながら、上記構成による従来のヘッドホンでは、パッド２は、クッション材を内蔵させてはいるものの、ユーザーがヘッドホンを装着したとき、ヘッドホンはヘッドバンドの弾性力により頭部に強く押し付けられて、パッド２は圧縮される。その結果、図４に示したように、パッド２は押し潰され、パッド２の内部空間２ａが狭められる。従って、開口部２ｂをパッド２に設けることによって、ハウジング１によって形成されるキャビティＸの実質上の容積拡大を目指しているものの、パッド２が押し潰されることにより、期待したほどの容積拡大は得られず、受動的な遮音特性の向上が十分得られないという問題があった。これは、イヤーマフの場合も同様である。なお、図４において、符号Ａはユーザーの耳を示している。
【００１０】
そこで本考案は、ユーザーがヘッドホンやイヤーマフを頭部に装着しても、受動的な遮音特性の向上が十分可能なヘッドホンおよびイヤーマフを提供することを目的とする。
【課題を解決するための手段】
【００１１】
本考案のヘッドホンは、ユーザーの耳に対応する側の端部が開放したハウジングと、このハウジングの開放端部の全周に渡って固定されたリング状の補強部材と、この補強部材の外側面に固着された表面部材と、上記ハウジング内に取付けられたドライバユニットと、を備え、上記補強部材は、外周側よりも内周側がハウジングから遠ざかるように成形されることにより、ハウジングの内部空間に続く補強部材の背面側の空間が形成され、上記表面部材は、上記補強部材の外側面の外周側と内周側にまたがって固着され、上記補強部材との間に空間が形成されていることを特徴とする。
【００１２】
また、本考案のイヤーマフは、ユーザーの耳に対応する側の端部が開放したハウジングと、このハウジングの開放端部の全周に渡って固定されたリング状の補強部材と、この補強部材の外側面に固着された表面部材と、を備え、上記補強部材は、外周側よりも内周側がハウジングから遠ざかるように成形されることにより、ハウジングの内部空間に続く補強部材の背面側の空間が形成され、上記表面部材は、上記補強部材の外側面の外周側と内周側にまたがって固着され、上記補強部材との間に空間が形成されていることを特徴とする。
【考案の効果】
【００１３】
上記のように、本考案に係るヘッドホンおよびイヤーマフは、ハウジングの開放端部の全周に渡って固定されたリング状の補強部材を備え、その補強部材は、外周側よりも内周側がハウジングから遠ざかるように成形されるとともに、その補強部材の外端面に、従来のパッドに対応した表面部材が固着されている。
上記補強部材の存在により、補強部材の背面側には、たとえユーザーが、表面部材が押し潰すようにヘッドホンおよびイヤーマフを頭部に装着したとしても狭まることのない、新たな空間Ｙが形成されて確保される。
従って、ユーザーによるヘッドホンおよびイヤーマフの装着時において、ハウジングの内部空間に新たな空間Ｙが加算されることにより、受動的な遮音特性の大幅な向上を図ることができる。
【考案を実施するための最良の形態】
【００１４】
以下、本考案に係るヘッドホンおよびイヤーマフの一実施例を図１および図２を参照して詳細に説明する。なお、図３および図４に示した従来のヘッドホンの構成と同一の構成部分には同一符号を付して詳細な説明は省略する。
図１は本考案に係るヘッドホンの一実施例を示した断面図である。
【００１５】
図１に示したように、この実施例のヘッドホンは、ユーザーの耳Ａに対応する側の端部が開放したハウジング１と、このハウジング１の開放端部の全周に渡って固定されたリング状の補強部材６と、このリング状の補強部材６の外側面に固着された表面部材７とを有している。
表面部材７は、従来のパッド２に対応したもので、人工皮革等の皮製からなり、補強部材６の外側面の外周側と内周側にまたがって溶着等によって固着されるとともに、補強部材６との間に空間が形成され、そこにクッション材が収容されている。
リング状の補強部材６は、金属あるいは比較的固いプラスチック製からなり、図示のように、その外周側よりも内周側がハウジング１から遠ざかるように、傾斜角度θを有して成形されている。その補強部材６により、その背面側（内側）には、傾斜角度θとその長さＬに対応した空間Ｙが形成される。
その結果、ヘッドホン内キャビティの実質上の容積は、補強部材６による新たな空間Ｙの容積がハウジング１内のキャビティＸの容積に加算される。
【００１６】
図２は、従来の図４に対応した図で、ユーザーが図１に示したヘッドホンを装着した状態を示した断面図である。図２に示したように、ユーザーのヘッドホン装着により、クッション材を収納した表面部材７は押し潰されても、ヘッドホン内キャビティにおける実質上の容積は、補強部材６による新たな空間Ｙが、既存のハウジング１の内部キャビティＸに加算されて得られ、それによるキャビティ内の確実な容積拡大により、受動的な遮音特性の大幅向上が可能である。
【００１７】
なお、図１に一点鎖線で示したように、補強部材６を新たな傾斜角度φとなるように変えることにより、わずかではあるが新たな空間Ｙの容積を変えることができる。
図１に示したように、補強部材６の高さＨを変えることによって、空間Ｙの容積もまた変化する。
図１および図２は、いずれもヘッドホンの場合を示したものであるが、バッフル板５等を有しないイヤーマフの場合も同様で、同様な効果を得ることができる。
【００１８】
以上要するに、この実施例に係る本考案のヘッドホンおよびイヤーマフは、ハウジング１の開放端部の全周に渡って固定されたリング状の補強部材６を備え、その補強部材６の外端面に表面部材７が固着されるとともに、補強部材６は、外周側よりも内周側がハウジングから遠ざかるように構成されている。
従って、たとえヘッドホンおよびイヤーマフをユーザーが頭部に装着して表面部材７が押し潰されたとしても、ハウジング内空間の拡大は確保され、受動的な遮音特性の向上を確実に実現できる。
【図面の簡単な説明】
【００１９】
【図１】本考案に係るヘッドホンの一実施例を示した断面図である。
【図２】図１に示したヘッドホンをユーザーが装着した状態を示した断面図である。
【図３】従来のヘッドホンを示した断面図である。
【図４】図３に示したヘッドホンをユーザーが装着した状態を示した断面図である。
【符号の説明】
【００２０】
１    ハウジング
２    パッド（イヤーパッド）
３    ドライバ
４    プロテクタ
５    バッフル板
６    補強部材
７    表面部材
【図１】
0003147408.tif 000003
【図２】
0003147408.tif 000004
【図３】
0003147408.tif 000005
【図４】
0003147408.tif 000006